(57)【要約】      （修正有）【課題】靴べらを外出先で使用する際に屈む必要をなくし、併せて交通安全用反射具としても機能させ得る巻き取り携行自在な長尺靴べらを提供する。【解決手段】幅方向断面における凹曲面１３側を表面１４側として長さ方向を直進させた帯板状のコンベックス金属薄片１２と、該コンベックス金属薄片１２の表面１４側を覆う一側シート２２と、裏面側を覆う他側シート３２とで構成され、コンベックス金属薄片１２を覆う一側シート２２と他側シート３２との周縁部２２ａ、３２ａ相互を接合してコンベックス金属薄片１２を封入することで、凹曲面１３を平坦面方向へと押し出して自動卷回させた際にはコンパクトで携行自在な巻き取り形状に、長さ方向に直線状に引き延ばした際には保形性を有する長尺靴べら５１としての使用を可能とした。一側シート２２は、再帰性反射部２４をその表面側に設けてもよい。【選択図】図１
0003225748.tif 000002
【実用新案登録請求の範囲】
【請求項１】
弧状を呈する幅方向断面における凹曲面側を表面側として長さ方向を直進させた帯板状のコンベックス金属薄片と、前記コンベックス金属薄片の前記表面側を覆う一側シートと、前記コンベックス金属薄片の裏面側を覆う他側シートとで構成され、
前記コンベックス金属薄片を覆う前記一側シートと前記他側シートとの周縁部相互を接合して前記コンベックス金属薄片を封入することで、前記凹曲面を平坦面方向へと押し出して自動卷回させた際にはコンパクトで携行自在な巻き取り形状に、長さ方向に直線状に引き延ばした際には保形性を有する長尺靴べらとしての使用を自在としたことを特徴とする巻き取り携行自在な長尺靴べら。
【請求項２】
前記一側シートは、再帰性反射部をその表面側に有して前記コンベックス金属薄片の前記表面側に覆設され、前記凹曲面を平坦面方向へと押し出して自動卷回させた際に携行部材への着脱が自在な交通安全用反射具としての機能を付与した請求項１に記載の巻き取り携行自在な長尺靴べら。
【請求項３】
封入前の前記コンベックス金属薄片の長さ方向での一端部と他端部とには、予め保護カバーを各別に配設した請求項１または２に記載の巻き取り携行自在な長尺靴べら。
【請求項４】
封入前の前記コンベックス金属薄片は、長さ方向での両端縁に丸みを付与した請求項１ないし３のいずれかに記載の巻き取り携行自在な長尺靴べら。
【請求項５】
前記一側シートと前記他側シートとは、コンベックス金属薄片の前記一端部側から突出させた延設部を設けるとともに、該延設部における開放端寄り部位に掛止部材への掛止が自在な掛止用孔を設けた請求項１ないし４のいずれかに記載の巻き取り携行自在な長尺靴べら。
【請求項６】
前記一側シートは、その表面側を文字や図形を含むキャラクター表示面とした請求項１ないし５のいずれかに記載の巻き取り携行自在な長尺靴べら。
【考案の詳細な説明】
【技術分野】
【０００１】
本考案は、巻き取り携行しつつ外出先で靴べらが必要になった際に高齢者であっても足腰に負担をかけることなく使用でき、併せて交通安全用反射具としての付加価値をも付与することができる巻き取り携行自在な長尺靴べらに関する技術である。
【背景技術】
【０００２】
夜間外出時に車輌等の路上走行体からヘッドライトを照射された際にこれを反射させることで相手側に自らの存在を知らせて交通事故を未然に防止することができる交通安全用反射具に関する来技術としては、例えば本願考案者の提案に係る特許文献１の「安全で機能的なバネ腕章」がある。
【先行技術文献】
【特許文献】
【０００３】
【特許文献１】実用新案登録第３１６３３６２号公報
【０００４】
すなわち、特許文献１には、腕に容易に装着脱できる腕章であって、腕を一回り以上できる長さで成る幅広の帯板バネの素材が、断面形状が湾曲状を成すコンベックス部材による帯板バネとし、該帯板バネの両端部に保護キャップを取り付けるとともに、該保護キャップ付き帯板バネを表側が反射性を有し、裏側が反射性を有しない二枚の合成樹脂シートで挟んだ後、前記帯板バネ辺の全周囲をウエルダー加工による溶着縁を形成して成る構成を特徴とする「安全で機能的なバネ腕章」が開示されている。
【考案の概要】
【考案が解決しようとする課題】
【０００５】
しかし、特許文献１の「安全で機能的なバネ腕章」は、その用途が反射機能を有する腕章に限られるという不都合があり、高齢者を含む利用者からは有用な他用途にも供し得る汎用性のある交通安全用の反射具の開発が求められていた。一方、外出する際には、外出先で靴を履く必要が生じた場合に備えて小さなサイズの靴べらを持ち歩く人も多い。しかし、高齢者などのように足腰に負担をかけられない人にとっては、その使用時に屈む必要のある小さなサイズの靴べらでは使い勝手が悪いという不具合があった。
【０００６】
本考案は、従来技術にみられた上記課題に鑑みてなされたものであり、高齢者などのように足腰に負担をかけられない人が靴べらを使用する際に屈む必要をなくし、併せて交通安全用反射具としての付加価値も付与できるようにした巻き取り携行自在な長尺靴べらを提供することをその目的とする。
【課題を解決するための手段】
【０００７】
本考案は、上記目的を達成すべくなされたものであり、弧状を呈する幅方向断面における凹曲面側を表面側として長さ方向を直進させた帯板状のコンベックス金属薄片と、前記コンベックス金属薄片の前記表面側を覆う一側シートと、前記コンベックス金属薄片の裏面側を覆う他側シートとで構成され、前記コンベックス金属薄片を覆う前記一側シートと前記他側シートとの周縁部相互を接合して前記コンベックス金属薄片を封入することで、前記凹曲面を平坦面方向へと押し出して自動卷回させた際にはコンパクトで携行自在な巻き取り形状に、長さ方向に直線状に引き延ばした際には保形性を有する長尺靴べらとしての使用を自在としたことを最も主要な特徴とする。
【０００８】
この場合、前記一側シートは、再帰性反射部をその表面側に有して前記コンベックス金属薄片の前記表面側に覆設され、前記凹曲面を平坦面方向へと押し出して自動卷回させた際に携行部位への着脱が自在な交通安全用反射具としての機能を付与することもできる。また、封入前の前記コンベックス金属薄片の長さ方向での一端部と他端部とには、予め保護カバーを各別に配設しておくのが好ましい。さらに、封入前の前記コンベックス金属薄片は、長さ方向での両端縁に丸みを付与しておくこともできる。さらにまた、前記一側シートと前記他側シートとは、コンベックス金属薄片の前記一端部側から突出させた延設部を設けるとともに、該延設部における開放端寄り部位に掛止部材への掛止が自在な掛止用孔を設けておくこともできる。また、前記一側シートは、その表面側を文字や図形を含むキャラクター表示面とすることもできる。
【考案の効果】
【０００９】
請求項１に係る考案によれば、凹曲面を平坦面方向へと押圧して自動卷回させた際には、軽量コンパクトな巻き取り形状で保管したり携行でき、長さ方向に直線状に引き延ばした際には、高齢者であっても腰を屈めることなく楽な姿勢をとって靴を履くことができる保形性に富む長尺靴べらとして使用することができる。
【００１０】
請求項２に係る考案によれば、一側シートは、再帰性反射部をその表面側に有しているので、凹曲面を平坦面方向へと押圧して自動卷回させた際には、軽量コンパクトな巻き取り形状のもとで手首や足首に巻き付けたり、鞄のベルト、杖の把手、自転車のハンドルなどを含む適宜の携行部材に巻き付けて着脱が自在な交通安全用反射具として使用することができる。
【００１１】
請求項３に係る考案によれば、封入前のコンベックス金属薄片の長さ方向での一端部と他端部とが保護カバーで覆われているので、仮にコンベックス金属薄片が一側シートと他側シートとを突き破ることがあっても、コンベックス金属薄片自体が飛び出すことはなく、それだけ安全に使用したり持ち運ぶことができる。
【００１２】
請求項４に係る考案によれば、封入前のコンベックス金属薄片の長さ方向での両端縁に丸みが付与されているので、仮にコンベックス金属薄片が一側シートと他側シートとを突き破る可能性を低くすることで怪我させるおそれをなくしてより安全に使用したり携行することができる。
【００１３】
請求項５に係る考案によれば、一側シートと他側シートとのコンベックス金属薄片の一端部側から突出させた部位に掛止用孔を設けてあるので、フックのような掛止部材に簡単に掛止させて保管しておくことができる。
【００１４】
請求項６に係る考案によれば、一側シートの表面側を文字や図形を含むキャラクター表示面としたので、適宜のキャッチフレーズや絵柄や装飾模様などのキャラクターを表示して興趣に富む使い心地を得ることができるほか、携行保持する際に周囲の人々の注意を喚起したり心を和ませることもできる。
【図面の簡単な説明】
【００１５】
【図１】本考案を長尺靴べらとして使用する際における全体形状例を一部を剥離して示す斜視図。
【図２】図１におけるＡ−Ａ線矢視方向での拡大断面図。
【図３】コンベックス金属薄片の一端部と保護カバーとの配置関係を示す要部説明図。
【図４】本考案の携行時や交通安全用反射具として使用する際における全体形状例を示す斜視図。
【考案を実施するための形態】
【００１６】
図１によれば、巻き取り携行自在な長尺靴べら１１の全体は、弧状を呈する幅方向断面における凹曲面１３側を表面１４側として長さ方向を直進させた帯板状のコンベックス金属薄片１２と、コンベックス金属薄片１２の表面１４側を覆う一側シート２２と、コンベックス金属薄片１２の裏面１５側を覆う他側シート３２とで構成されている。なお、一側シート２２は、再帰性反射部２４をその表面２３側に具備させてもよい。
【００１７】
また、封入前のコンベックス金属薄片１２の長さ方向での一端部１６と他端部１７とにおける一側端縁１６ａと他側端縁１７ａには、丸みが付与されているとともに、一端部１６と他端部１７とには予め保護カバー１９が各別に配設されている。保護カバー１９は、図３に示すように合成樹脂素材を用いて袋状に形成したり、熱収縮チューブ素材を用いて収縮させて形成したり、合成樹脂シートや布材などからなる接着マットを形成し、該接着マットをコンベックス金属薄片１２の一端部１６と他端部１７とのそれぞれに対し二つ折りして挟着させた上で余分な部位を切除することで形成してもよい。
【００１８】
しかも、一側シート２２と他側シート３２とは、コンベックス金属薄片１２の一端部１６側から突出する延設部２５，３３を備えているほか、延設部２５，３３相互の開放端寄り部位には掛止部材（図示せず）への掛止が自在に連通させた掛止用孔２６が穿設されている。なお、一側シート２２は、その表面２３側を文字や図形を含むキャラクター表示面２７として活用できるようになっている。
【００１９】
かくして、コンベックス金属薄片１２を覆うテーパーが付されて対面合致する平面形状を備える一側シート２２と他側シート３２とは、それぞれの周縁部２２ａ，３２ａ相互を例えば一側シート２２と他側シート３２とが樹脂シートで形成されている場合にはウェルダー加工で溶着するなど、シート素材に応じた手法で接合することで、コンベックス金属薄片１２が封入されることになる。なお、一側シート２２と他側シート３２とは、樹脂レザーを用いて形成することもできる。
【００２０】
このため、コンベックス金属薄片１２の凹曲面１３を平坦面方向へと押し出すことで一側シート２２を図４に示すように自動卷回させた際には、コンパクトな巻き取り形状のもとで、手首や足首などの適宜の携行部位（図示せず）への着脱を自在に携行することができる。また、一側シート２２が再帰性反射部２４をその表面２３側に有している場合には、凹曲面１３を平坦面方向へと押し出して自動卷回させた際に携行部位への着脱が自在な交通安全用反射具４１としての機能を付与することもできる。
【００２１】
また、図４に示す卷回状態から図１に示すように長さ方向に直線状に引き延ばした際には、コンベックス金属薄片１２に凹曲面１３を形成することで保形性を有する長尺靴べら５１としての機能を発揮させることができることになる。
【００２２】
次に、上記構成からなる本考案の作用・効果を図示例に基づいて説明すれば、凹曲面１３を平坦面方向へと押し出して再帰性反射部２４を表面２３側に位置させた状態となる図４に示すような自動卷回させた際には、軽量コンパクトな巻き取り形状のもとで保管したり携行できるほか、手首や足首、鞄のベルト、杖の把手や自転車のハンドルや鞄の把手などを含む適宜の携行部位に巻き付けて着脱が自在に携行することができる。しかも、一側シート２２が再帰性反射部２４をその表面２３側に有している場合には、交通安全用反射具４１として使用することもできることになる。
【００２３】
また、長さ方向に直線状に引き延ばした際には、高齢者であっても腰を屈めることなく楽な姿勢をとって靴を履くことができる保形性に富む例えば幅が４ｃｍ前後で長さが３５〜３８ｃｍ程度の長尺靴べら５１として使用することができることになる。
【００２４】
しかも、封入前のコンベックス金属薄片１２の長さ方向での一端部１６と他端部１７とが保護カバー１９で覆われている場合には、仮にコンベックス金属薄片１２が一側シート２２と他側シート３２とを突き破るようなことがあったとしても、コンベックス金属薄片１２自体が露出して飛び出すようなことをなくせるので、それだけ安全に使用したり持ち運ぶことができることになる。
【００２５】
さらに、封入前のコンベックス金属薄片１２の長さ方向での両端縁１６ａ，１７ａのそれぞれに丸みが付与されている場合には、仮にコンベックス金属薄片１２が一側シート２２と他側シート３２とを突き破る可能性を低くすることで怪我させるおそれをそれだけ少なくしてより安全に使用したり携行したりすることができることになる。
【００２６】
また、一側シート２２と他側シート３２とのコンベックス金属薄片１２の一端部１６側から突出させた延設部２５，３３に掛止用孔２６を設けてある場合には、フックのような掛止部材に簡単に掛止させて保管しておくことができることになる。
【００２７】
さらに、一側シート２２の表面２３側を文字や図形を含むキャラクター表示面２７とする場合には、適宜のキャッチフレーズや絵柄や装飾模様などのキャラクターを表示して興趣に富む使用勝手を得ることができるほか、携行保持する際に周囲の人々の心を和ませるたり、注意喚起機能を発揮させることができることになる。
【００２８】
以上は、本考案を図示例に基づいて説明したものであり、その具体的な内容はこれ限定されるものではない。例えば、コンベックス金属薄片１２は、一端部１６の端縁１６ａと他端部１７の端縁１７ａとに丸みを付与することなく角ばった形状に形成したものを使用することもできる。また、保護カバー１９は、場合によっては配設しないこともできる。一側シート２２と他側シート３２とは、延設部２５，３３を設けることなくコンベックス金属薄片１２を封入することもでき、このような場合には、掛止用孔２７を穿設しないこともできる。さらに、卷回状とした交通安全用反射具４１として使用する際に取り付ける携行部位については、手首、足首、鞄のベルト、バイクや自転車のハンドル、杖の把手、傘の握り、シルバーカーのハンドル、ランドセルやバッグの下げ紐、ベビーカーのハンドル等、夜間外出時を含む外出時に携行するものであればその種類は問わない。
【符号の説明】
【００２９】
１１  巻き取り携行自在な長尺靴べら
１２  コンベックス金属薄片
１３  凹曲面
１４  表面
１５  裏面
１６  一端部
１６ａ  端縁
１７  他端部
１７ａ  端縁
１９  保護カバー
２２  一側シート
２２ａ  周縁部
２３  表面
２４  再帰性反射部
２５  延設部
２６  掛止用孔
２７  キャラクター表示面
３２  他側樹脂シート
３２ａ  周縁部
３３  延設部
４１  交通安全用反射具
５１  長尺靴べら
【図１】
0003225748.tif 000003
【図２】
0003225748.tif 000004
【図３】
0003225748.tif 000005
【図４】
0003225748.tif 000006